(57)【特許請求の範囲】
【請求項１】
複数の半円筒状レンズが連続的に配列されてなるレンチキュラーレンズと、
前記レンチキュラーレンズの背面に配置され、各半円筒状レンズに対応して複数の細長画像が連続的に配列された網点画像印刷物とを備えており、
前記細長画像は、階調表現を行う最小単位の領域において、色版ごとに複数の基準位置が設定され、基準位置ごとに連続して長手方向に振幅変調スクリーンにより網点印刷されていることを特徴とする立体画像印刷物。
【請求項２】
同じ半円筒状レンズに対応して配列された複数の細長画像における前記基準位置は、直線状に配置されていることを特徴とする請求項１に記載の立体画像印刷物。
【請求項３】
隣接する半円筒状レンズに対応して配列された細長画像の直線的な前記基準位置は、互いにずれていることを特徴とする請求項２に記載の立体画像印刷物。
【請求項４】
複数の半円筒状レンズが連続的に配列されてなるレンチキュラーレンズと、
前記レンチキュラーレンズの背面に配置され、各半円筒状レンズに対応して複数の細長画像が連続的に配列された網点画像印刷物とを備えており、
前記細長画像は、階調表現を行う最小単位の領域において、色版ごとに基準位置が設定され、基準位置ごとに連続して長手方向に振幅変調スクリーンにより網点印刷されており、前記基準位置の数は、印刷される網点数に応じて異なっていることを特徴とする立体画像印刷物。
【請求項５】
複数の半円筒状レンズが連続的に配列されてなるレンチキュラーレンズと、
前記レンチキュラーレンズの背面に配置され、各半円筒状レンズに対応して複数の細長画像が連続的に配列された網点画像印刷物とを備えており、
前記細長画像は、階調表現を行う最小単位の領域において、色版ごとに複数の基準位置が設定され、基準位置ごとに連続して長手方向に振幅変調スクリーンにより網点印刷されており、前記基準位置は、細長画像によってずれていることを特徴とする立体画像印刷物。
【発明の詳細な説明】
【技術分野】
【０００１】
本発明は、レンチキュラーレンズを用いた立体画像印刷物に関し、特に、レンチキュラーレンズの背面に配置され、濃度階調表現に係る網点画像印刷物の網点印刷技術に関するものである。
【背景技術】
【０００２】
従来、商品やサービスの広告用に、ポスターや広告印刷物を見る者に目立たせるため、商品やサービスの象徴的な画像を立体的に見えるようレンチキュラーレンズを用いた立体画像印刷物が利用されている。このような立体画像印刷物は、異なる角度から撮影された画像が、短冊状に分割されて、レンチキュラーレンズの背面にその半円筒状レンズに沿って配列されたものである（例えば、特許文献１、２）。
【０００３】
レンチキュラーレンズの背面に配置される画像の網点印刷方式としては、ＦＭ（周波数変調）スクリーン法とＡＭ（振幅変調）スクリーン法とが知られている（例えば、特許文献１）。ＦＭスクリーン法は、一定の大きさを持った網点の密度によって濃度階調が表現し、ＡＭスクリーン法は、網点の大きさによって濃度階調を表現する方法である。また、細長画像の網点印刷として、階調表現を行う最小単位の領域において、その中央を中心として長手方向にＡＭスクリーンにより網点印刷する方法や、網点が個々に離間するようにＦＭスクリーンにより網点印刷する方法が提案されている（特許文献２）。
【０００４】
【特許文献１】特開平９−６１９５０号公報
【特許文献２】特開２００７−２３３１０５号公報
【発明の開示】
【発明が解決しようとする課題】
【０００５】
ところが、従来の立体画像印刷物では、階調表現を行う最小単位の領域の中央の一点を中心として、長手方向に振幅変調スクリーンにより網点印刷していたため、網点がその中央に集中してしまい、印刷対象紙の地色が、階調表現を行う最小単位の領域の縁部に現れやすくなって、画像が粗くなるという問題があった。また、網点が個々に離間するように網点印刷する場合、一点の網点を着実に着肉できる印刷機や刷版機の解像度に依存することになり、より解像度の高い印刷を実現することは困難であった。
【０００６】
そこで、本発明は、画像の粗さを低減した立体画像印刷物を提供することを目的とする。
【課題を解決するための手段】
【０００７】
本発明に係る立体画像印刷物は、複数の半円筒状レンズが連続的に配列されてなるレンチキュラーレンズと、前記レンチキュラーレンズの背面に配置され、各半円筒状レンズに対応して複数の細長画像が連続的に配列された網点画像印刷物とを備えており、前記細長画像は、階調表現を行う最小単位の領域において、色版ごとに複数の基準位置が設定され、基準位置ごとに連続して長手方向に振幅変調スクリーンにより網点印刷されていることを特徴とする。
【０００８】
この立体画像印刷物によれば、網点画像印刷物の細長画像は、階調表現を行う最小単位の領域において、色版ごとに複数の基準位置が設定され、基準位置ごとに連続して長手方向に振幅変調スクリーンにより網点印刷されているため、レンチキュラーレンズ側から画像の粗さが低減されて立体的に網点画像印刷物を観察することができる。
【０００９】
また、この立体画像印刷物において、同じ半円筒状レンズに対応して配列された複数の細長画像における前記基準位置は、直線状に配置されていると良い。この構成により、基準位置周辺に印刷する画素が連続することで印刷領域が広がり、印刷機や刷版機による網点印刷の着肉をより確実に行うことができるようになり、印刷機や刷版機の解像度を最大限活かした階調表現が可能となる。
【００１０】
さらに、上記立体画像印刷物において、隣接する半円筒状レンズに対応して配列された細長画像の直線的な前記基準位置は、互いにずれているとより好ましい。この構成により、基準位置から離れている位置ほど、網点画像印刷物の下地が見えやすくなる傾向があるが、細長画像の直線的な基準位置を、半円筒状レンズに対応する領域が異なるとずれるようにすれば、隣接する半円筒状レンズに対応する網点画像印刷物において、下地が連続しないようにすることができる。
【００１１】
あるいは、本発明に係る立体画像印刷物は、複数の半円筒状レンズが連続的に配列されてなるレンチキュラーレンズと、前記レンチキュラーレンズの背面に配置され、各半円筒状レンズに対応して複数の細長画像が連続的に配列された網点画像印刷物とを備えており、前記細長画像は、階調表現を行う最小単位の領域において、色版ごとに基準位置が設定され、基準位置ごとに連続して長手方向に振幅変調スクリーンにより網点印刷されており、前記基準位置の数は、印刷される網点数に応じて異なっていることを特徴とする。
【００１２】
この立体画像印刷物によれば、網点画像印刷物の細長画像は、階調表現を行う最小単位の領域において、色版ごとに基準位置が設定され、基準位置ごとに連続して長手方向に振幅変調スクリーンにより網点印刷されており、基準位置の数は、印刷される網点数に応じて細長画像によって異なっているため、網点画像印刷物全体で見れば、基準位置が散在することとなり、レンチキュラーレンズ側から画像の粗さが低減されて立体的に網点画像印刷物を観察することができる。
【００１３】
または、本発明に係る立体画像印刷物は、複数の半円筒状レンズが連続的に配列されてなるレンチキュラーレンズと、前記レンチキュラーレンズの背面に配置され、各半円筒状レンズに対応して複数の細長画像が連続的に配列された網点画像印刷物とを備えており、前記細長画像は、階調表現を行う最小単位の領域において、色版ごとに複数の基準位置が設定され、基準位置ごとに連続して長手方向に振幅変調スクリーンにより網点印刷されており、前記基準位置は、細長画像によってずれていることを特徴とする。
【００１４】
この構成により、網点画像印刷物の細長画像は、階調表現を行う最小単位の領域において、色版ごとに複数の基準位置が設定され、基準位置ごとに連続して長手方向に振幅変調スクリーンにより網点印刷されており、しかも、基準位置は、細長画像によってずれているため、レンチキュラーレンズ側から画像の粗さが低減されて立体的に網点画像印刷物を観察することができる。
【発明の効果】
【００１５】
本発明によれば、画像の粗さを低減した立体画像印刷物を提供することができる。
【発明を実施するための最良の形態】
【００１６】
以下、図面を参照しながら、本発明に係る立体画像印刷物の好適な実施形態について説明する。
【００１７】
＜第１実施形態＞
まず、第１実施形態に係る立体画像印刷物について説明する。図１は、立体画像印刷物に用いられる網点画像印刷物３の作製方法を示した図である。図１（Ａ）に示すように、ステレオカメラ１の各カメラ１ａ、１ｂ、１ｃ、１ｄを水平に配列するように設置して、被写体２を撮影する。図１（Ｂ）は、各カメラ１ａ〜１ｄによって撮影された画像を示し、図１（Ｂ）のＢ−１は、カメラ１ａによって撮影された画像Ｇ１、図１（Ｂ）のＢ−２は、カメラ１ｂによって撮影された画像Ｇ２、図１（Ｂ）のＢ−３は、カメラ１ｃによって撮影された画像Ｇ３、図１（Ｂ）のＢ−４は、カメラ１ｄによって撮影された画像Ｇ４である。これらの画像Ｇ１〜Ｇ４は、使用されるレンチキュラーレンズの半円筒状レンズの個数に応じて、縦に分割される。
【００１８】
図１（Ｂ）において、Ｂ−１の画像Ｇ１が分割された画像を左から順に、細長画像ｓ１１、ｓ１２、ｓ１３、…とする。同様に、Ｂ−２の画像Ｇ２が分割された画像を、細長画像ｓ２１、ｓ２２、ｓ２３、…とし、Ｂ−３の画像Ｇ３が分割された画像を、細長画像ｓ３１、ｓ３２、ｓ３３、…とし、Ｂ−４の画像Ｇ４が分割された画像を、細長画像ｓ４１、ｓ４２、ｓ４３、…とする。
【００１９】
そして、図１（Ｃ）に示すように、画像Ｇ１〜Ｇ４の各細長画像を一つずつ画像Ｇ１〜Ｇ４の順に配列させる。すなわち、左から順に、
ｓ１１、ｓ２１、ｓ３１、ｓ４１、ｓ１２、ｓ２２、ｓ３２、ｓ４２、ｓ１３、ｓ２３、ｓ３３、ｓ４３、ｓ１４、ｓ２４、ｓ３４、ｓ４４、…
と配列する。
【００２０】
そのうえで、
ｓ１１、ｓ２１、ｓ３１、ｓ４１をグループＧｒ１、
ｓ１２、ｓ２２、ｓ３２、ｓ４２をグループＧｒ２、
ｓ１３、ｓ２３、ｓ３３、ｓ４３をグループＧｒ３、
ｓ１４、ｓ２４、ｓ３４、ｓ４４をグループＧｒ４、
……
とすると、各グループＧｒをレンチキュラーレンズの半円筒状レンズの背面に配置されて、レンチキュラーレンズの背面全体にわたって配置されるように、上下左右方向に拡大ないし縮小して網点画像印刷物３とする。
【００２１】
次に、図２を用いてレンチキュラーレンズ４の背面４ａへの網点画像印刷物３の配置について説明する。図２は、立体画像印刷物５の分解斜視図である。図２に示すように、網点画像印刷物３は、各グループＧｒが連接されて構成され、各グループＧｒの細長画像は、レンチキュラーレンズ４における一つの半円筒状レンズ４ｂの背面に合うように配置されて、背面４ａへ貼り合わされる。
【００２２】
続いて、図３を用いて網点画像印刷物３に網点印刷を行う仕方について説明する。図３（Ａ）は、網点画像印刷物３の網点印刷を説明するための図であり、図３（Ｂ）は、網点画像印刷物３に貼付されるレンチキュラーレンズ４の半円筒状レンズ４ｂの位置関係を説明するための図である。
【００２３】
ここでは、一つの半円筒状レンズ４ｂの背面に貼付される細長画像が２０本あり（２０画素）、階調表現を行う最小単位の領域３ａとして縦方向の２０画素分を用いる場合について説明する。この場合、図３（Ａ）に示すように、２０本の細長画像が横方向に配列され、１本の細長画像について、縦方向２０画素を用いて、ＣＭＹＫのいずれか一つ又は複数の色版でその階調度に応じて格子状に網点を印刷するが、図示しているものは、一つの色版での印刷位置である。なお、隣接する画素は、互いに接しており、各画素は網点印刷の網点に対応する。
【００２４】
図３（Ａ）に示す例では、階調表現を行う最小単位の領域３ａにおいて、ある色版を印刷するにあたって、細長画像の上下の縁から長さ１／４の位置に二本の基準線６，６を設定して、基準線６上にある画素の位置を基準位置とし、それらの基準位置を中心として、細長画像の長手方向に、すなわち、基準位置の画素の上下方向に網点を印刷する。よって、細長画像の基準位置は、直線状に配置されることになる。そして、ある色版の階調度により、印刷すべき画素数を、上下の基準位置用に二つに分け、それぞれの基準位置を中心として上下方向に、印刷すべき画素数分、網点を印刷する。
【００２５】
ＣＭＹＫのうち、複数の色版で網点画像印刷物３を網点印刷する場合には、色版ごとの基準線６を一致させてもよく、或いは、網点が散在して下地が現れないように、ずらすように設定してもよい。
【００２６】
このように、網点画像印刷物３の細長画像は、階調表現を行う最小単位の領域３ａにおいて、色版ごとに複数の基準位置を中心として長手方向に振幅変調（ＡＭ）スクリーンにより網点印刷されているため、レンチキュラーレンズ４側から画像の粗さが低減されて立体的に網点画像印刷物３を観察することができる。また、基準位置は、連続的で直線状に配置されているため、基準位置周辺に印刷する画素が連続することで印刷領域が広がり、印刷機や刷版機による網点印刷の着肉をより確実に行うことができるようになり、印刷機や刷版機の解像度を超える階調表現が可能となる。
【００２７】
なお、上記第１実施形態においては、図３に示すように、各基準位置から印刷する画素数は、細長画像において印刷すべき画素数を均等に割当てているが、均等でなくても構わない。例えば各基準位置への最低割当て画素数を決めておき、印刷すべき画素数がその数に満たない場合は、片方の基準位置のみに割当て、もう片方には画素を印刷しないでおき、最低画素数を超える画素がある場合には均等に割当てるようにしてもい。または、ランダムに画素数を各基準位置に割当ててもよい。このとき、完全なランダムで割当てても構わないし、制限をつけてもよい。例えば、各基準位置への最低割当て画素数を決めておき、印刷すべき画素数がその数に満たない場合は、片方の基準位置のみに割当て、もう片方には画素を印刷せず、最低画素数を超える画素がある場合には、最低割当て画素数を超えた数の画素のみをランダムに割当てるといった具合いである。
【００２８】
＜第２実施形態＞
次に、図４（Ｂ）を参照して、第２実施形態における網点画像印刷物３の網点印刷方法について説明する。第１実施形態では、図４（Ａ）に示すように、二本の基準線６，６を細長画像の上下の縁から長さ１／４の位置に設定したが、基準線６の位置はこれに限られず、第２実施形態を示す図４（Ｂ）のように、基準線６をずらしてもよい。このとき、印刷すべき画素が、縦方向に配列されている２０画素の中で、最も上の画素まで達してもなお印刷すべき画素数が残っている場合は、最も下の画素から上方へ向けて印刷する画素を加えていけばよく、また、印刷すべき画素が、縦方向に配列されている２０画素の中で、最も下の画素まで達してもなお印刷すべき画素数が残っている場合は、最も上の画素から下方へ向けて印刷する画素を加えていけばよい。
【００２９】
さらには、隣接する半円筒状レンズ４ｂに対応して配列された細長画像の直線的な基準位置は、ズレ幅を変えることにより、互いにずれるよう構成させると好ましい。これにより、基準位置から離れている位置ほど、網点画像印刷物３の下地が見えやすくなる傾向があるが、細長画像の直線的な基準位置を、半円筒状レンズ４ｂに対応する領域が異なるとズレるようにすれば、隣接する半円筒状レンズ４ｂに対応する網点画像印刷物３において、下地が連続しないようにすることができる。
【００３０】
勿論、複数の色版で網点画像印刷物３を網点印刷する場合に、色版ごとの基準線６を、網点が散在するようにずらせば、網点画像印刷物３の下地は、より現れにくくなる。
【００３１】
なお、上記第２実施形態においては、図４（Ｂ）に示すように、各基準位置から印刷する画素数は、細長画像において印刷すべき画素数を均等に割当てているが、第１実施形態における変形例で示したように、均等でなくても構わない。すなわち、各基準位置への最低割当て画素数を決めておき、印刷すべき画素数がその数に満たない場合は、片方の基準位置のみに割当て、もう片方には画素を印刷しないでおき、最低画素数を超える画素がある場合には均等に割当てるようにしてもい。または、ランダムに画素数を各基準位置に割当ててもよい。このとき、完全なランダムで割当てても構わないし、制限をつけてもよい。例えば、各基準位置への最低割当て画素数を決めておき、印刷すべき画素数がその数に満たない場合は、片方の基準位置のみに割当て、もう片方には画素を印刷せず、最低画素数を超える画素がある場合には、最低割当て画素数を超えた数の画素のみをランダムに割当てるといった具合いである。
【００３２】
＜第３実施形態＞
続いて、図４（Ｃ）を参照して、第３実施形態における網点画像印刷物３の網点印刷方法について説明する。第１実施形態では、図４（Ａ）に示すように、二本の基準線６，６を細長画像の上下の縁から長さ１／４の位置に設定しることにより、印刷すべき画素数をほぼ等分に分けて印刷したが、第３実施形態を示す図４（Ｃ）のように、上下の基準線６に割当てる階調表現画素数を、８画素と１２画素というように均等にせず、各階調表現画素数の中央に各基準線６を設定してもよい。この場合、細長画像において印刷すべき画素数を、各基準線６に任意に割当ててよい。
【００３３】
さらに、隣接する半円筒状レンズ４ｂに対応して配列された細長画像においては、互いに、上下の基準線６に割当てる階調表現画素数の比を変えるようにするとよい。これにより、隣接する半円筒状レンズ４ｂに対応する網点画像印刷物３において、基準位置がずれるようになり、網点画像印刷物３に下地が連続して現れないようにすることができる。勿論、上述の実施形態と同様に、複数の色版で網点画像印刷物３を網点印刷する場合に、色版ごとの基準線６を、網点が散在するようにずらせば、網点画像印刷物３の下地は、さらに現れにくくなる。
【００３４】
なお、上記第３実施形態においては、基準位置から印刷する画素数は、各基準位置に任意に割当てているが、細長画像において印刷すべき画素数を、各基準線6に割当てられた画素数の比に応じて割当てても構わない。または、任意に割当てるとしても、割当てる画素数に制限をつけても良い。例えば、各基準位置への最低割当て画素数を決めておき、印刷すべき画素数がその数に満たない場合は、片方の基準位置のみに割当て、もう片方には画素を印刷せずに、最低画素数を超える画素がある場合には、最低割当て画素数を超えた数の画素のみをランダムに割当てるようにしてもよい。
【００３５】
また、第２実施形態のように、基準位置を上下にずらしても構わない。このとき、印刷すべき画素が、縦方向に配列されている２０画素の中で、最も上の画素まで達してもなお印刷すべき画素数が残っている場合は、最も下の画素から上方へ向けて印刷する画素を加えていけばよく、また、印刷すべき画素が、縦方向に配列されている２０画素の中で、最も下の画素まで達してもなお印刷すべき画素数が残っている場合は、最も上の画素から下方へ向けて印刷する画素を加えていけばよい。
【００３６】
＜第４実施形態＞
続いて、図４（Ｄ）を参照して、第４実施形態における網点画像印刷物３の網点印刷方法について説明する。第１実施形態では、図４（Ａ）に示すように、基準位置は、基準線６上に直線状に配置したが、第４実施形態を示す図４（Ｄ）のように、各細長画像の基準位置７をランダムに設定する。この場合、細長画像において印刷すべき画素数を、各基準線６に任意に割当ててよい。この構成により、レンチキュラーレンズ４側から画像の粗さが低減されて立体的に網点画像印刷物３を観察することができる。
【００３７】
さらに、複数の色版で網点画像印刷物３を網点印刷する場合に、色版で比較しても基準位置をランダムに設定すれば、さらに、網点が散在するようになり、網点画像印刷物３の下地は、より現れにくくなる。
【００３８】
なお、上記第４実施形態においては、基準位置から印刷する画素数は、各基準位置に任意に割当てているが、第３実施形態における変形例と同様に、細長画像において印刷すべき画素数を、各基準線6に割当てられた画素数の比に応じて割当てても構わない。または、任意に割当てるとしても、割当てる画素数に制限をつけても良い。例えば、各基準位置への最低割当て画素数を決めておき、印刷すべき画素数がその数に満たない場合は、片方の基準位置のみに割当て、もう片方には画素を印刷せずに、最低画素数を超える画素がある場合には、最低割当て画素数を超えた数の画素のみをランダムに割当てるようにしてもよい。
【００３９】
勿論、第２実施形態と同様に、基準位置を上下にずらしても構わない。このとき、印刷すべき画素が、縦方向に配列されている２０画素の中で、最も上の画素まで達してもなお印刷すべき画素数が残っている場合は、最も下の画素から上方へ向けて印刷する画素を加えていけばよく、また、印刷すべき画素が、縦方向に配列されている２０画素の中で、最も下の画素まで達してもなお印刷すべき画素数が残っている場合は、最も上の画素から下方へ向けて印刷する画素を加えていけばよい。
【００４０】
＜第５実施形態＞
図５（Ａ）を参照して、第５実施形態における網点画像印刷物３の網点印刷方法について説明する。第５実施形態においては、細長画像の階調表現を行う最小単位の領域３ａにおいて、印刷すべき画素数が、所定数未満、例えば１０画素未満である場合には、基準線６を一本設定して、基準線６上にある画素の位置を基準位置とし、その基準位置を中心として、細長画像の長手方向の上下方向に網点を印刷する。その一方、細長画像の階調表現を行う最小単位の領域３ａにおいて、印刷すべき画素数が、所定数以上、例えば１０画素以上である場合には、基準線６を二本設定して、それらの基準線６上にある画素の位置を基準位置とし、その基準位置を中心として、細長画像の長手方向の上下方向に網点を印刷する。
【００４１】
このように、基準位置の数は、印刷される網点数に応じて細長画像によって異なっているため、網点画像印刷物３全体で見れば、基準位置が散在することとなり、レンチキュラーレンズ４側から画像の粗さが低減されて立体的に網点画像印刷物３を観察することができる。
【００４２】
なお、第５実施形態においては、図５（Ａ）に示すように、基準位置から印刷する画素数は、細長画像において印刷すべき画素数を均等に割当てているが、均等でなくてもよい。例えば、各基準位置への最低割当て画素数を決めておき、最低割当て画素数を超えた数の画素のみをランダムに割当ててもよい。
【００４３】
また、第２実施形態のように、基準位置を上下にずらしてもよい。このとき、印刷すべき画素が、縦方向に配列されている２０画素の中で、最も上の画素まで達してもなお印刷すべき画素数が残っている場合は、最も下の画素から上方へ向けて印刷する画素を加えていけばよく、また、印刷すべき画素が、縦方向に配列されている２０画素の中で、最も下の画素まで達してもなお印刷すべき画素数が残っている場合は、最も上の画素から下方へ向けて印刷する画素を加えていけばよい。
【００４４】
＜第６実施形態＞
さらに、図５（Ｂ）を参照して、第６実施形態における網点画像印刷物３の網点印刷方法について説明する。第６実施形態においては、細長画像の階調表現を行う最小単位の領域３ａにおいて、連続して印刷される網点の画素数に上限（例えば、８画素）を設け、その上限を超えると、基準線６を二本から三本、四本と基準線６を増やすようにする。
【００４５】
このように、連続して印刷される網点の画素数が上限を超えると、基準線６を増やすようにすれば、第５実施形態と同様に、基準位置や網点が散在することとなり、レンチキュラーレンズ４側から画像の粗さが低減されて立体的に網点画像印刷物３を観察することができる。
【００４６】
なお、第６実施形態においては、図５（Ｂ）に示すように、基準位置から印刷する画素数は、細長画像において印刷すべき画素数を均等に割当てているが、均等でなくてもよい。例えば、各基準位置への最低割当て画素数を決めておき、最低割当て画素数を超えた数の画素のみをランダムに割当ててもよい。
【００４７】
また、第２実施形態のように、基準位置を上下にずらしてもよい。このとき、印刷すべき画素が、縦方向に配列されている２０画素の中で、最も上の画素まで達してもなお印刷すべき画素数が残っている場合は、最も下の画素から上方へ向けて印刷する画素を加えていけばよく、また、印刷すべき画素が、縦方向に配列されている２０画素の中で、最も下の画素まで達してもなお印刷すべき画素数が残っている場合は、最も上の画素から下方へ向けて印刷する画素を加えていけばよい。
【００４８】
＜第７実施形態＞
図６及び図７を参照して、第７実施形態における網点画像印刷物３の網点印刷方法について説明する。第１〜第６実施形態は、一つのグループＧｒでの隣接する領域３ａにおける基準位置の設定に関するものであったが、第７実施形態は、複数のＧｒに渡って複数の半円筒状レンズ４ｂに対応する網点画像印刷物３における基準位置の設定に関する。
【００４９】
第７実施形態においては、図６に示すように、同じ半円筒状レンズ４ｂに対応して配列された複数の細長画像における振幅変調スクリーンの中心となる基準位置は、直線状に二本配置させ、その直線的な基準位置が、隣接する半円筒状レンズ４ｂに対応して配列された細長画像で比較すると、互いにずれているように設定する。そして、図７に示すように、基準線６上にある画素の位置を基準位置とし、それらの基準位置を中心として、細長画像の長手方向の上下に向けて、印刷すべき画素数分網点を印刷する。
【００５０】
これにより、基準位置から離れている位置ほど、網点画像印刷物３の下地が見えやすくなる傾向があるが、半円筒状レンズ４ｂに対応する領域が異なると、細長画像の直線的な基準位置をズレるようにすれば、隣接する半円筒状レンズ４ｂに対応する網点画像印刷物３において、下地が連続しないようにすることができる。
【００５１】
なお、本発明は、上記実施形態に限られない。
【００５２】
上記第１〜第７実施形態において、各図では基準位置を中心として上下に延在するよう画素を印刷したが、基準位置を基点として上方向、または下方向に必要な画素数分だけ画素を印刷しても構わない。このとき、印刷すべき画素が、縦方向に配列されている画素の中で、最も上の画素まで達してもなお印刷すべき画素数が残っている場合は、最も下の画素から上方へ向けて印刷する画素を加えていけばよく、また、印刷すべき画素が、縦方向に配列されている画素の中で、最も下の画素まで達してもなお印刷すべき画素数が残っている場合は、最も上の画素から下方へ向けて印刷する画素を加えていけばよい。
【００５３】
また、上記各実施形態では、各半円筒状レンズの形状に合わせて、その直下に画像データ数分の細長画像を配列させた網点画像印刷物を貼り合せたが、各半円筒状レンズと網点画像印刷物とが対応していれば、この配置に限らなくとも良い。例えば、立体画像印刷物の中央上方から立体画像印刷物を観察することを想定し、その観察点から半円筒状レンズを通して見える範囲に、網点画像印刷物の対応する範囲を配置するようにしてもよい。この場合、半円筒状レンズに対応する網点画像印刷物の幅は、半円筒状レンズのピッチが一定であっても、半円筒状レンズの位置によって変化する。
【００５４】
また、上記実施形態では、網点として矩形状の画素を用いたが、隣接する網点同士が接するよう密に配置されるならば、点状の網点であってもよい。
【図面の簡単な説明】
【００５５】
【図１】立体画像印刷物に用いられる網点画像印刷物の作製方法を示した図であり、  （Ａ）はステレオカメラによって被写体を撮影する様子を示す図、  （Ｂ）はステレオカメラの各カメラによって撮影され、網点画像印刷物を作成するために分割されることを示す図、  （Ｃ）は分割された細長画像が組み合わされて作成された網点画像印刷物を示す図である。
【図２】立体画像印刷物の分解斜視図である。
【図３】第１実施形態の立体画像印刷物を説明する図であり、  （Ａ）は網点画像印刷物を示す図であり、  （Ｂ）は網点画像印刷物に対するレンチキュラーレンズの配置を示す図である。
【図４】各実施形態の立体画像印刷物を説明する図であり、  （Ａ）は第１実施形態の網点画像印刷物を示す図であり、  （Ｂ）は第２実施形態の網点画像印刷物を示す図であり、  （Ｃ）は第３実施形態の網点画像印刷物を示す図であり、  （Ｄ）は第４実施形態の網点画像印刷物を示す図である。
【図５】各実施形態の立体画像印刷物を説明する図であり、  （Ａ）は第５実施形態の網点画像印刷物を示す図であり、  （Ｂ）は第６実施形態の網点画像印刷物を示す図であり、
【図６】第７実施形態の立体画像印刷物において網点画像印刷物の基準位置を説明する図である。
【図７】第７実施形態の立体画像印刷物を説明する図である。
【符号の説明】
【００５６】
１…ステレオカメラ、２…被写体、３…網点画像印刷物、４…レンチキュラーレンズ、４ａ…背面、４ｂ…半円筒状レンズ、５…立体画像印刷物、６…基準線、７…基準位置、ｓ１１，ｓ１２，……細長画像。
【図１】
0004817130.tif 000002
【図２】
0004817130.tif 000003
【図３】
0004817130.tif 000004
【図４】
0004817130.tif 000005
【図５】
0004817130.tif 000006
【図６】
0004817130.tif 000007
【図７】
0004817130.tif 000008